(57)【特許請求の範囲】
【請求項１】
貯湯タンクと、
外部の水源からの水を前記貯湯タンク内に供給する給水流路と、
前記貯湯タンク内の水を加熱して湯とする加熱手段と、
前記貯湯タンクから給湯先に送られる湯が通る給湯流路の流量を検出する流量検出手段と、
前記給湯流路を開閉する給湯制御弁と、
前記給湯制御弁に開指令が出された直後の前記流量検出手段の検出結果と、前記開指令が出されてから所定時間経過後の前記流量検出手段の検出結果とに基づいて、前記給湯制御弁の異常か、前記水源の断水かを判別する制御手段と、
を備える貯湯式給湯機。
【請求項２】
前記制御手段は、前記開指令が出された直後に湯の流れが前記流量検出手段により検出されず、且つ前記所定時間経過後に湯の流れが前記流量検出手段により検出されない場合には、前記給湯制御弁の異常と判断し、前記開指令が出された直後に湯の流れが前記流量検出手段により検出され、且つ前記所定時間経過後に湯の流れが前記流量検出手段により検出されない場合には、前記水源の断水と判断する請求項１記載の貯湯式給湯機。
【請求項３】
前記制御手段は、前記開指令が出された直後に所定流量未満の湯の流れが前記流量検出手段により検出され、且つ前記所定時間経過後に湯の流れが前記流量検出手段により検出されない場合に、前記水源の断水と判断する請求項２記載の貯湯式給湯機。
【請求項４】
前記制御手段は、前記給湯制御弁の異常との判定が複数回繰り返された場合に前記給湯制御弁の異常との判断を確定し、前記水源の断水との判定が複数回繰り返された場合に前記水源の断水との判断を確定する請求項１乃至３の何れか１項記載の貯湯式給湯機。
【請求項５】
前記給湯制御弁の異常と判断した場合と、前記水源の断水と判断した場合とを区別して報知する報知手段を備える請求項１乃至４の何れか１項記載の貯湯式給湯機。
【発明の詳細な説明】
【技術分野】
【０００１】
本発明は、貯湯式給湯機に関する。
【背景技術】
【０００２】
ヒートポンプなどの加熱手段により加熱された高温の湯を貯湯タンクに貯え、この貯湯タンクから取り出した湯を用いて、風呂の浴槽やシャワー、台所や洗面所の蛇口などの給湯先に給湯する貯湯式給湯機が広く用いられている。貯湯タンクの下部には、水道等の水源からの水を供給する給水配管が接続されている。貯湯タンク内には、温度成層が形成され、上層側に高温の湯が貯留され、下層側の低温水が貯留される。給湯先に湯を送る給湯配管は貯湯タンクの上部に接続されている。給湯時には、給水配管から作用する水源水圧により、貯湯タンク内の湯が押し上げられるようにして給湯配管に流入する。浴槽へ繋がる給湯配管の途中には、ふろ用電磁弁が設けられている。浴槽の湯張り時には、ふろ用電磁弁により、浴槽への給湯の開始および停止が制御される。
【０００３】
特許文献１には、給水路より供給される水をバーナの燃焼により加熱し潜熱回収用熱交換器および給湯用熱交換器を介して給湯路に供給するとともに、循環ポンプを介して再度給湯用熱交換器に戻して給湯循環回路を形成し、給湯循環回路には利用側熱交換器を配設して負荷側に熱量を供給する回路を形成するとともに、利用側熱交換器を経由した給湯循環回路から分岐して給湯栓に湯を供給する給湯路と、給湯路から分岐して注湯用開閉弁を介し風呂に注湯を行うための注湯回路を形成した１缶多水路の給湯装置であって、利用側熱交換器を経由した後の給湯路に分岐するまでの給湯循環回路に流量センサを設け、循環ポンプを回転しているにもかかわらず、流量センサで所定の流量が検出されなかった場合、注湯用開閉弁を開弁し風呂への注湯が行われなければ断水であるものとして、循環ポンプを用いた加熱を停止するようにした給湯装置が開示されている。
【先行技術文献】
【特許文献】
【０００４】
【特許文献１】特開２００７−１２０８３２号公報
【発明の概要】
【発明が解決しようとする課題】
【０００５】
水道の断水が発生した場合、貯湯式給湯機では、貯湯タンクに水源水圧が作用しなくなるため、ふろ用電磁弁が開いても浴槽に給湯されない状態となる。しかしながら、浴槽に給湯されない事態が、断水ではなく、ふろ用電磁弁（給湯制御弁）が故障して開かないことによって生ずる可能性もある。このため、特許文献１に記載された技術のように、流量センサで所定の流量が検出されなかった場合に断水であるとすると、ふろ用電磁弁の故障が原因であった場合には、誤った判断をすることになる。また、実際には断水が原因である場合に、ユーザーが、故障であると誤解して、本来は必要ない修理を依頼するような不都合が生ずることも考えられる。
【０００６】
本発明は、上述のような課題を解決するためになされたもので、給湯先への給湯がなされない異常が発生した場合に、給湯制御弁の異常であるか、断水状態であるかを正確に判別することのできる貯湯式給湯機を提供することを目的とする。
【課題を解決するための手段】
【０００７】
本発明に係る貯湯式給湯機は、貯湯タンクと、外部の水源からの水を貯湯タンク内に供給する給水流路と、貯湯タンク内の水を加熱して湯とする加熱手段と、貯湯タンクから給湯先に送られる湯が通る給湯流路の流量を検出する流量検出手段と、給湯流路を開閉する給湯制御弁と、給湯制御弁に開指令が出された直後の流量検出手段の検出結果と、開指令が出されてから所定時間経過後の流量検出手段の検出結果とに基づいて、給湯制御弁の異常か、水源の断水かを判別する制御手段とを備えたものである。
【発明の効果】
【０００８】
本発明によれば、給湯先への給湯がなされない異常が発生した場合に、給湯制御弁の異常であるか、断水状態であるかを正確に判別することが可能となる。
【図面の簡単な説明】
【０００９】
【図１】本発明の実施の形態１の貯湯式給湯機を示す構成図である。
【図２】本発明の実施の形態１の貯湯式給湯機における湯張り運転の回路構成図である。
【図３】本発明の実施の形態１の貯湯式給湯機において、ふろ用電磁弁の故障および断水による異常の何れであるかを判断するために、制御部により実行されるルーチンのフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１に示す貯湯式給湯機３５は、タンクユニット３３と、ヒートポンプサイクルを利用するように構成されたヒートポンプユニット７と、運転動作の指令や設定値の変更操作をするリモコン装置４４とを備えている。ヒートポンプユニット７とタンクユニット３３とは、ヒートポンプ往き配管１４とヒートポンプ戻り配管１５と図示しない電気配線とを介して接続されている。また、タンクユニット３３には、制御部３６（制御手段）が内蔵されている。タンクユニット３３およびヒートポンプユニット７が備える各種の弁類、ポンプ類等の作動は、これらと電気的に接続された制御部３６により制御される。制御部３６とリモコン装置４４とは、相互に通信可能に接続されている。リモコン装置４４には、図示を省略するが、貯湯式給湯機３５の状態等の情報を表示する表示部、ユーザーが操作するスイッチ等の操作部、スピーカ、マイク等が搭載されている。
【００１２】
ヒートポンプユニット７は、タンクユニット３３が備える貯湯タンク８から導かれた低温水を加熱する（沸き上げる）ための加熱手段として機能するものである。ヒートポンプユニット７は、圧縮機１、水冷媒熱交換器３、膨張弁４、空気熱交換器６を冷媒循環配管５にて環状に接続し、ヒートポンプサイクルを構成している。水冷媒熱交換器３は、冷媒循環配管５を流れる冷媒とタンクユニット３３から導かれた低温水との間で熱交換を行うためのものである。
【００１３】
一方、タンクユニット３３には、以下の各種部品や配管などが内蔵されている。貯湯タンク８は、湯水を貯留するためのものである。貯湯タンク８の下部に設けられた水導入口８ａには、第３給水配管９ｃが接続されている。水道等の水源から供給される水は、減圧弁３１で所定圧力に調圧された上で、第３給水配管９ｃを通って貯湯タンク８内に流入する。貯湯タンク８の上部に設けられた温水導入出口８ｄには、貯湯タンク８内に貯留された湯を貯湯式給湯機３５の外部へ供給するための給湯配管２１と、送湯配管１３とが接続されている。なお、貯湯タンク８には、ヒートポンプユニット７を用いて加熱された高温湯が温水導入出口８ｄから流入するとともに、第３給水配管９ｃからの低温水が水導入口８ａから流入することにより、上部と下部とで温度差が生じるように湯水が貯留される。また、貯湯タンク８の表面には、複数の貯湯温度センサ４２，４３が取付高さを変えて取り付けられている。これらの貯湯温度センサ４２，４３により貯湯タンク８内の湯水の温度分布を検出することにより、貯湯タンク８内の残湯量が把握され、ヒートポンプユニット７による貯湯タンク８内の湯水の沸き上げ運転の開始および停止などが制御される。
【００１４】
また、タンクユニット３３内には、熱源ポンプ１２およびふろ用熱交換器２０が内蔵されている。熱源ポンプ１２は、タンクユニット３３内の後述する各種配管に湯水を循環させるためのポンプであり、ヒートポンプ往き配管１４上に設けられている。ふろ用熱交換器２０は、貯湯タンク８やヒートポンプユニット７から供給される高温湯を利用して、２次側の加熱対象水（浴槽循環水や暖房用循環水など）を加熱するための熱交換器である。なお、本実施の形態では、ふろ用熱交換器２０の２次側の構成として、浴槽３０内の湯水を循環させるふろ往き配管２７とふろ戻り配管２８を例に挙げて説明する。ふろ用熱交換器２０は、ふろ往き配管２７とふろ戻り配管２８の途中に設置されている。また、ふろ往き配管２７とふろ戻り配管２８の途中には、浴槽水を循環させるためのふろ循環ポンプ２９と、浴槽３０から出た浴槽水の温度を検出するためのふろ戻り温度センサ３８と、ふろ用熱交換器２０から出た熱交換後の湯の温度を検出するためのふろ往き温度センサ３７とが設置されている。
【００１５】
次に、タンクユニット３３が備える弁類および配管類について説明する。タンクユニット３３は、三方弁１１および四方弁１８を有している。三方弁１１は、湯水が流入するａポートおよびｂポートと、湯水が流出するｃポートとを有する流路切り替え手段である。四方弁１８は、湯水が流入するｂポートおよびｃポートと、湯水が流出するａポートおよびｄポートとを有する流路切り替え手段であり、４つの経路、すなわち、ａ−ｂ、ａ−ｃ、ｂ−ｄ、ｃ−ｄの間で流路形態を切替可能に構成されている。
【００１６】
また、タンクユニット３３は、水導出口配管１０、温水導入配管２０ａ、第１バイパス配管１６、温水導出配管２０ｂ、および第２バイパス配管１７を有している。水導出口配管１０は、貯湯タンク８の下部に設けられた水導出口８ｂと三方弁１１のａポートとを接続する流路である。ヒートポンプ往き配管１４は、三方弁１１のｃポートとヒートポンプユニット７の入口側とを接続する流路である。ヒートポンプ戻り配管１５は、ヒートポンプユニット７の出口側と四方弁１８のｃポートとを接続する流路である。送湯配管１３は、四方弁１８のｄポートと、貯湯タンク８上部の温水導入出口８ｄとを接続する流路である。第１バイパス配管１６は、四方弁１８のａポートと、貯湯タンク８の中央部から下部の間に設けられた温水導入口８ｃとを接続する流路である。温水導入配管２０ａは、送湯配管１３の途中から分岐し、ふろ用熱交換器２０の１次側入口に接続される流路である。温水導出配管２０ｂは、ふろ用熱交換器２０の１次側出口と三方弁１１のｂポートとを接続する流路である。第２バイパス配管１７は、ヒートポンプ往き配管１４における熱源ポンプ１２とヒートポンプユニット７の入口側との間から分岐し、四方弁１８のｂポートに接続される流路である。
【００１７】
更に、タンクユニット３３は、第１給水配管９ａ、第２給水配管９ｂ、給湯用混合弁２２、ふろ用混合弁２３、第１給湯配管２４、および第２給湯配管２５（給湯流路）を有している。第１給水配管９ａの一端は水道等の水源に接続され、第１給水配管９ａの他端には減圧弁３１を介して第２給水配管９ｂおよび第３給水配管９ｃが接続され、これらによって給水管路９（給水流路）が構成されている。第２給水配管９ｂは、途中から分岐してそれぞれ給湯用混合弁２２とふろ用混合弁２３とに接続されている。また、給湯配管２１は、途中から分岐してそれぞれ給湯用混合弁２２およびふろ用混合弁２３に接続されている。第２給湯配管２５の途中には、第２給湯配管２５を開閉するふろ用電磁弁２６と、第２給湯配管２５を通る湯の流量を検出するふろ用流量センサ４５（流量検出手段）とが設けられている。
【００１８】
給湯用混合弁２２およびふろ用混合弁２３は、給湯配管２１から供給される高温湯と、第２給水配管９ｂから供給される低温水との流量比を調整することにより、ユーザーがリモコン装置４４にて設定した設定温度の湯を生成し、第１給湯配管２４および第２給湯配管２５にそれぞれ流入させる。給湯用混合弁２２で温度調整された湯は、第１給湯配管２４から給湯栓３４を経由して、ユーザーが使用するシャワーやカラン等の蛇口（図示しない）に供給される。一方、ふろ用混合弁２３で設定温度に調整された湯は、第２給湯配管２５からふろ用電磁弁２６、ふろ用流量センサ４５、ふろ往き配管２７、ふろ戻り配管２８を経て浴槽３０に供給される。
【００１９】
三方弁１１は、次の第１および第２の２つの流路形態の間で、タンクユニット３３内の湯水の流路を切り替えて使用する。具体的には、「第１流路形態」とは、水導出口配管１０とヒートポンプ往き配管１４とが連通する流路形態であり、「第２流路形態」とは、温水導出配管２０ｂとヒートポンプ往き配管１４とが連通する流路形態である。
【００２０】
四方弁１８は、次の第１〜第４の４つの流路形態の間で、タンクユニット３３内の湯水の流路を切り替えて使用する。具体的には、「第１流路形態」とは、ヒートポンプ戻り配管１５と送湯配管１３とが連通する流路形態であり、「第２流路形態」とは、ヒートポンプ戻り配管１５と第１バイパス配管１６とが連通する流路形態であり、「第３流路形態」とは、第１バイパス配管１６と第２バイパス配管１７とが連通する流路形態であり、「第４流路形態」とは、送湯配管１３と第２バイパス配管１７とが連通する流路形態である。
【００２１】
図２は、本発明の実施の形態１の貯湯式給湯機３５における湯張り運転の回路構成図である。ここで、湯張り運転とは、ユーザーによってリモコン装置４４からの操作により、ふろ用電磁弁２６が開くことにより、貯湯タンク８に貯えた高温湯を用いて浴槽３０内に湯張りする運転である。この湯張り運転時には、貯湯タンク８の温水導入出口８ｄから給湯配管２１、ふろ用混合弁２３、第２給湯配管２５、ふろ用流量センサ４５、ふろ用電磁弁２６およびふろ往き配管２７あるいはふろ戻り配管２８を介して、浴槽３０へと連通する経路が形成される。その結果、貯湯タンク８の温水導入出口８ｄから流出する高温湯は、ふろ往き温度センサ３７によって検出される温度が上記設定温度となるように、ふろ用混合弁２３において低温水と混合された上で、浴槽３０内へ供給される。また、ふろ用流量センサ４５によって浴槽３０内への注入湯量を検出し、ユーザーによってリモコン装置４４にて予め設定された所定の湯量に達した場合には、ふろ用電磁弁２６が閉じて自動的に湯張り運転が停止する。
【００２２】
正常な湯張り運転では、上記のように、ふろ用電磁弁２６が開いている時のみ、ふろ用流量センサ４５によって湯の流れが検出される。制御部３６からふろ用電磁弁２６へ開指令が出ているにもかかわらず、ふろ用流量センサ４５で湯の流れが検出されない場合には、異常となる。このような異常が発生する原因としては、次の二つが考えられる。第１の原因は、制御部３６からふろ用電磁弁２６へ開指令が出ているにもかかわらず実際にはふろ用電磁弁２６が開かない状態、すなわち、ふろ用電磁弁２６の故障が発生している状態である。第２の原因は、制御部３６からふろ用電磁弁２６へ開指令が出ていて、ふろ用電磁弁２６が実際に開いているが、第１給水配管９ａの上流側からの水源水圧が貯湯タンク８に作用しないために貯湯タンク８内の湯が給湯配管２１に送られない状態、すなわち、断水が発生している状態である。この二つの原因を判別できないと、例えば、断水による異常であるにもかかわらず、ユーザーが、故障であると誤解し、本来は必要ない修理を依頼するような不都合が想定される。
【００２３】
そこで、本実施の形態では、次のようにして、上述した二つの異常原因の判別を可能とする。断水状態でふろ用電磁弁２６が開いた場合には、主に貯湯タンク８に残存する内圧により、少量の湯が貯湯タンク８から給湯配管２１に放出され、第２給湯配管２５へと流れる。このため、この場合には、ふろ用電磁弁２６が開いた直後は、ふろ用流量センサ４５にて少量の流れが検出され、その後は、ふろ用流量センサ４５にて流れが検出されなくなる。
【００２４】
これに対し、制御部３６からふろ用電磁弁２６へ開指令が出ているにもかかわらずふろ用電磁弁２６が故障により開かない場合には、第２給湯配管２５には湯が全く流れないため、ふろ用電磁弁２６へ開指令が出された直後においても、ふろ用流量センサ４５で流れは検出されない。
【００２５】
本実施の形態では、上述した違いに基づいて、ふろ用電磁弁２６の故障であるか、断水による異常であるかを判別する制御を行う。図３は、ふろ用電磁弁２６の故障および断水による異常の何れであるかを判断するために、制御部３６により実行されるルーチンのフローチャートである。
【００２６】
図３のステップＳ１では、制御部３６からふろ用電磁弁２６へ開指令が出されているかどうかを判断する。その結果、開指令が出されている場合には、ステップＳ２へ進む。一方、開指令が出されていない場合は、ステップＳ１に戻りループ状態となる。
【００２７】
ステップＳ２では、ふろ用流量センサ４５にて、湯の流れが全く検出されていないかどうか、すなわち、ふろ用流量センサ４５の検出値が０（リットル／分）かどうかを判断する。その結果、ふろ用流量センサ４５の検出値が０の場合には、ステップＳ３に至り、ふろ用流量センサ４５の検出値が０ではない場合には、ステップＳ４に至る。
【００２８】
ステップＳ４では、ふろ用流量センサ４５にて検出された流量が所定流量未満かどうか、すなわち、０＜ふろ用流量センサ４５の検出値＜所定流量値（リットル／分）かどうかを判断する。この所定流量値は、ふろ用流量センサ４５の検出値が、断水状態でふろ用電磁弁２６が開いた場合に貯湯タンク８に残存する内圧によって少量の湯が放出されることによる流量であるかどうかを判別するために予め設定された値である。ステップＳ４の判断の結果、ふろ用流量センサ４５の検出値が所定流量値未満である場合には、ふろ用流量センサ４５の検出値は、断水状態でふろ用電磁弁２６が開いた場合に貯湯タンク８に残存する内圧によって少量の湯が放出されることによる流量の範囲内であると判断できる。この場合には、ステップＳ５に至り、制御部３６にて断水判定履歴フラグがセットされ、その後ステップＳ３に至る。
【００２９】
一方、ステップＳ４でふろ用流量センサ４５の検出値が所定流量値以上である場合には、ふろ用流量センサ４５の検出値は、断水状態でふろ用電磁弁２６が開いた場合に貯湯タンク８に残存する内圧によって少量の湯が放出されることによる流量の範囲を超えていると判断できる。この場合には、断水状態ではないと判断できるため、ステップＳ６に至り、制御部３６にて断水判定履歴フラグがクリアされ、ＥＮＤに至る。
【００３０】
ステップＳ３では、制御部３６からふろ用電磁弁２６へ開指令が出されてから、所定の時間が経過しているかどうかを判断する。その結果、ふろ用電磁弁２６へ開指令が出されてから所定時間が経過している場合には、ステップＳ７に至り、所定時間がまだ経過していない場合には、ステップＳ１に戻りループ状態となる。
【００３１】
ステップＳ７では、制御部３６にて断水判定履歴フラグがセットされているかどうかを判断する。その結果、断水判定履歴フラグがセットされている場合には、ステップＳ８に至り、断水判定履歴フラグがセットされていない場合には、ステップＳ９に至る。ステップＳ８では、制御部３６よりリモコン装置４４へ断水による異常であることを報知する指令が出力され、ＥＮＤに至る。ステップＳ９では、制御部３６よりリモコン装置４４へふろ用電磁弁２６の故障（異常）であることを報知する指令が出力され、ＥＮＤに至る。リモコン装置４４では、その指令に従い、断水による異常であるか、ふろ用電磁弁２６の故障（異常）であるかを、ユーザーが識別可能となるように区別して、表示部による表示やスピーカからの音声等により、異常の発生を報知する。
【００３２】
以上説明したように、本実施の形態の制御では、ふろ用電磁弁２６へ開指令が出された直後にふろ用流量センサ４５にて湯の流れが検出され（０＜ふろ用流量センサ４５の検出値＜所定流量値）、且つふろ用電磁弁２６へ開指令が出されてから所定時間経過後にふろ用流量センサ４５にて湯の流れが検出されない（ふろ用流量センサ４５の検出値＝０）場合には、断水による異常と判断する。また、ふろ用電磁弁２６へ開指令が出された直後にふろ用流量センサ４５にて湯の流れが検出されず（ふろ用流量センサ４５の検出値＝０）、且つふろ用電磁弁２６へ開指令が出されてから所定時間経過後にふろ用流量センサ４５にて湯の流れが検出されない（ふろ用流量センサ４５の検出値＝０）場合には、ふろ用電磁弁２６の故障（異常）と判断する。このような制御によれば、浴槽３０への給湯がなされない異常が発生した場合に、断水による異常であるか、ふろ用電磁弁２６の故障（異常）であるかを正確に判別することができる。その判別結果をユーザーに報知することにより、例えば、断水による異常であるにもかかわらず、ユーザーが、故障であると誤解し、本来は必要ない修理を依頼するような不都合を未然に防止することができる。
【００３３】
また、本実施の形態では、ふろ用電磁弁２６へ開指令が出された直後のふろ用流量センサ４５にて所定流量値未満の湯の流れが検出され、且つふろ用電磁弁２６へ開指令が出されてから所定時間経過後にふろ用流量センサ４５にて湯の流れが検出されない（ふろ用流量センサ４５の検出値＝０）場合に、断水による異常と判断する。これにより、ふろ用電磁弁２６へ開指令が出された直後のふろ用流量センサ４５の検出値が、断水状態でふろ用電磁弁２６が開いた場合に貯湯タンク８に残存する内圧によって少量の湯が放出されることによる流量であるかどうかをより確実に判別することができるので、断水による異常をより正確に判別することができる。
【００３４】
なお、本実施の形態においては、ステップＳ８において、一回のみの判定で、断水による異常の判断を行っているが、例えば、ステップＳ８において、断水による異常と判定された回数をカウントし、その回数が所定回数に達した場合に、断水による異常との判断を確定するようにしてもよい。これにより、断水による異常の判断をより確実に行うことができる。
【００３５】
また、本実施の形態においては、ステップＳ９において、一回のみの判定で、ふろ用電磁弁２６の故障の判断を行っているが、例えば、ステップＳ９において、ふろ用電磁弁２６の故障と判定された回数をカウントし、その回数が所定回数に達した場合に、ふろ用電磁弁２６の故障との判断を確定するようにしてもよい。これにより、ふろ用電磁弁２６の故障の判断をより確実に行うことができる。
【００３６】
また、本実施の形態においては、ふろ用流量センサ４５の検出値が０である場合に、ふろ用流量センサ４５にて湯の流れが検出されていないと判断しているが、ふろ用流量センサ４５の検出値が０付近の所定範囲内である場合に、ふろ用流量センサ４５にて湯の流れが検出されていないと判断してもよい。
【００３７】
また、本実施の形態においては、浴槽３０への給湯流路を開閉するふろ用電磁弁２６の異常判定を行う構成を例に説明したが、本発明は、浴槽以外の給湯先への給湯流路を開閉する給湯制御弁の異常判定を行う場合にも同様に適用可能である。
【００３８】
また、本実施の形態においては、三方弁１１および四方弁１８により複数種類の流路形態に切り替え可能な配管構成を有する貯湯式給湯機３５を例に説明したが、本発明は、流路形態の切り替えを行わない貯湯式給湯機にも適用可能であることは言うまでもない。
【符号の説明】
【００３９】
１      圧縮機
３      水冷媒熱交換器
４      膨張弁
５      冷媒循環配管
６      空気熱交換器
７      ヒートポンプユニット
８      貯湯タンク
８ａ    水導入口
８ｂ    水導出口
８ｃ    温水導入口
８ｄ    温水導入出口
９      給水管路
９ａ    第１給水配管
９ｂ    第２給水配管
９ｃ    第３給水配管
１０    水導出口配管
１１    三方弁
１２    熱源ポンプ
１３    送湯配管
１４    ヒートポンプ往き配管
１５    ヒートポンプ戻り配管
１６    第１バイパス配管
１７    第２バイパス配管
１８    四方弁
２０    ふろ用熱交換器
２０ａ  温水導入配管
２０ｂ  温水導出配管
２１    給湯配管
２２    給湯用混合弁
２３    ふろ用混合弁
２４    第１給湯配管
２５    第２給湯配管
２６    ふろ用電磁弁
２７    ふろ往き配管
２８    ふろ戻り配管
２９    ふろ循環ポンプ
３０    浴槽
３１    減圧弁
３３    タンクユニット
３４    給湯栓
３５    貯湯式給湯機
３６    制御部
３７    ふろ往き温度センサ
３８    ふろ戻り温度センサ
４２，４３  貯湯温度センサ
４４    リモコン装置
４５    ふろ用流量センサ
【図１】
0005747840.tif 000002
【図２】
0005747840.tif 000003
【図３】
0005747840.tif 000004